【事件の表示】
　特許第３１９７６２１号「積層型インピーダンス素子」の請求項１に係る特許に対する特許異議の申立てについて、次のとおり決定する。
【結　論】
　訂正を認める。
　特許第３１９７６２１号の請求項１に係る特許を維持する。
【理　由】
（１）手続きの経緯
　本件特許第３１９７６２１号の請求項１に係る発明についての出願は、平成４年８月１０日になされ、平成１３年６月８日にその特許の設定登録がなされ、その後、雨山範子より特許異議の申立てがなされ、平成１４年５月１５日付けで取消理由通知がなされ、その指定期間内である平成１４年７月２３日に訂正請求がなされたものである。
　
（２）訂正の適否についての判断
ア．訂正の内容
＊訂正事項ａ
　特許請求の範囲の請求項１における、「少なくとも一つの導体部」及び「前記外部端子」を、それぞれ「一つの導体部」及び「外部端子」と訂正する。
＊訂正事項ｂ
　段落００２６及び段落００３１における「図４」を「図３」と訂正し、段落００２５及び段落００２７における「図５」を「図４」と訂正し、段落０００３における「図６」を「図５」と訂正し、段落０００４及び段落０００６における「図７」を「図６」と訂正し、段落０００７における「図８」を「図７」と訂正し、段落０００７における「図９」を「図８」と訂正し、段落０００７及び段落００１２における「図１０」を「図９」と訂正する。
＊訂正事項ｃ
　段落００１４における、「少なくとも一つの導体部」及び「前記外部端子」を、それぞれ「一つの導体部」及び「外部端子」と訂正する。
＊訂正事項ｄ
　段落００１６及び段落００３４における、「少なくとも一つの導体部」を「一つの導体部」と訂正する。
＊訂正事項ｅ
　段落００３０及び段落００３３を削除する。
＊訂正事項ｆ
　図面の簡単な説明を
「【図１】本発明の積層型インピーダンス素子の第１の実施例を示す概略断面図である。
　【図２】本発明の第２の実施例を示す概略断面図である。
　【図３】本実施例によって得られるインピーダンス特性図である。
　【図４】本発明の動作原理を説明するインピーダンス特性図である。
　【図５】従来例を示す概略断面図である。
　【図６】図５の素子の等価回路である。
　【図７】図６の簡略した等価回路である。
　【図８】図７の簡略した等価回路である。
　【図９】図５の素子のインピーダンス特性図である。
　【符号の説明】
　２　磁性体
　３　導電パターン
　４　コイル
　５，１５，２５，２６　導体部
　６，７　外部端子
　８　コンデンサ　」、と訂正する。
＊訂正事項ｇ
　図３を削除するとともに以降の図番を順次繰り上げる。
イ．訂正の目的の適否、新規事項の有無及び拡張・変更の存否
　上記訂正事項ａは、特許請求の範囲の請求項１において、「少なくとも一つの導体部」とあるのを、「一つの導体部」に限定するものであるから、特許請求の範囲の減縮を目的としたものであり、また「前記外部端子」とあるのを、「外部端子」とする訂正は、前記に該当する「外部端子」が記載されていないため「前記」を削除するものであるから、明りょうでない記載の釈明に当たる。そしてこれらの訂正は、願書に添付した明細書に記載した事項の範囲内のものであり、実質上特許請求の範囲を拡張し又は変更するものではない。
　上記訂正事項ｂ〜ｇは、請求項１が訂正されたことに伴い特許請求の範囲の記載と発明の詳細な説明の記載との整合を図るための訂正で、明りょうでない記載の釈明を目的としたものであり、願書に添付した明細書に記載した事項の範囲内のものであり、実質上特許請求の範囲を拡張し又は変更するものではない。
ウ．むすび
　以上のとおりであるから、上記訂正は、特許法等の一部を改正する法律（平成６年法律第１１６号）附則第６条第１項の規定によりなお従前の例によるとされる、特許法第１２０条の４第３項で準用する平成６年法律第１１６号による改正前の特許法第１２６条第１項ただし書、第２項乃至第３項の規定に適合するので、当該訂正を認める。
　
（３）特許異議申立てについての判断
ア．特許異議申立ての理由の概要
　特許異議申立人は、証拠として、甲第１号証（実願昭５７−１３８３９２号（実開昭５９−４４０３２号）のマイクロフィルム）及び甲第２号証（実願昭５５−１０３９２０号（実開昭５７−２９１３１号）のマイクロフィルム）を提示して次のように主張している。
　本件請求項１記載の発明は、甲第１号証又は甲第２号証に記載された発明に基いて当業者が容易に発明をすることができたものであるから、本件請求項１に係る発明についての特許は、特許法第２９条第２項の規定に違反してなされたものである旨主張している。
　
イ．本件発明
　訂正明細書の本件発明は、特許請求の範囲の請求項１に記載された次のとおりのものである。
「磁性体を介して接続され周回する導電パターンからなるコイルを有する積層型インピーダンス素子において、前記磁性体内で磁性体を介して前記導電パターンと対向するように設けられた一つの導体部を有し、前記導体部の一端が外部端子に電気的に接続されることによって、前記コイルとの間に形成されたコンデンサが前記コイルに並列接続されてなることを特徴とする積層型インピーダンス素子（以下、「本件発明」という。）。」
　
ウ．引用例
　異議申立人が提出した甲第１号証には、積層型ＬＣ複合部品が図面とともに開示されている。そして同号証には、次のように記載されている。
「１．　複数の電気絶縁体層と複数のコイル形成用の導体層との交互積層部と、複数の誘電体層と複数のコンデンサ形成用の電極層との交互積層体部とを含む一体焼結体、前記焼結体の端面へ引出された前記導体層及び電極層の引出端、前記端面に前記引出端へ接続するように形成された銀又は銀合金層、前記銀又は銀合金層の表面に形成された電気めつき層より成る、積層型ＬＣ複合部品。
２．　電気絶縁層は磁性フエライトの層である第１項記載の複合部品。
３．　電気めつき層は、銅層、ニッケル層及び錫層の順に形成されている第１又は２項記載の複合部品。」（実用新案登録請求の範囲）
及び第４図
　異議申立人が提出した甲第２号証には、ＬＣ複合部品が図面とともに開示されている。そして同号証には、次のように記載されている。
「（１）　磁性体層とコイル形成用導電パタ−ンとの交互積層体より成るコイル部を前記導電パタ−ンが磁性体層の層間から層間へと渦巻状に延びるように構成し、誘電体層と電極との交互積層体より成るコンデンサ部を前記コイル部と重畳し、さらに前記導電パタ−ンの引出端と前記電極の引出端とをＬＣ並列回路となるように重畳体の外周の外部端子に接続した、ＬＣ複合部品。
（２）　磁性体層と誘電体層とは磁性と誘電性を有する同一の材料から成る前記第１項記載のＬＣ複合部品。」（実用新案登録請求の範囲）
「先ずＣ用誘電体はＴｉＯ２、ＢａＴｉＯ３等の粉末をブチラ−ル樹脂等のバインダ−によりペ−スト化し、シ−ト状に延ばしたものまたは印刷で薄層状にしたものから構成する。場合により誘電性（例：誘電率１０〜２０）の磁性体の粉末をブラチ−ル樹脂等のバインダ−によりペ−スト化し、シ−ト状に延ばしたものまたは印刷で薄層状にしたものから構成する。」（明細書３頁１５行〜４頁２行）
及び第１乃至９図
　
エ．対比・判断
　本件発明と甲第１乃至第２号証に記載の発明とを対比すると、甲第１乃至第２号証には、本件発明の必須の構成要件である、「磁性体内で磁性体を介して導電パターンと対向するように設けられた一つの導体部を有し、前記導体部の一端が外部端子に電気的に接続されることによって、コイルとの間に形成されたコンデンサが前記コイルに並列接続されてなる」点について記載も示唆もされていない。（甲第１乃至第２号証のものは、コイル部とコンデンサ部とが分離されており、本件発明のようにコイルと導体部との間にコンデンサを意図的に構成するものではない。） 
　そして、本件発明は、上記の点を備えることにより、「導体部と導電パターンとの間に形成されるコンデンサによってインピーダンスの共振周波数を低周波側に移動できるため、理想的なインピーダンス特性が得られるようになってノイズ低減効果を上げることができる。」（段落００３４）という明細書記載の効果を奏するものである。
  したがって、本件発明が、甲第１号証又は甲第２号証に記載された発明に基いて当業者が容易に発明をすることができたものであるとも認めることはできない。
　
（４）まとめ
　以上のとおりであるから、特許異議申立ての理由及び証拠によっては、本件請求項１に係る発明についての特許を取り消すことはできない。
　また、他に本件請求項１に係る発明についての特許を取り消すべき理由を発見しない。
　よって、結論のとおり決定する。
【異議決定日】
平成１４年９月２日（２００２．９．２）
【訂正の要旨】
訂正の要旨
＊訂正事項ａ
　特許請求の範囲の減縮及び明りょうでない記載の釈明を目的として、特許請求の範囲の請求項１における、「少なくとも一つの導体部」及び「前記外部端子」を、それぞれ「一つの導体部」及び「外部端子」と訂正する。
＊訂正事項ｂ
　明りょうでない記載の釈明を目的として、段落００２６及び段落００３１における「図４」を「図３」と訂正し、段落００２５及び段落００２７における「図５」を「図４」と訂正し、段落０００３における「図６」を「図５」と訂正し、段落０００４及び段落０００６における「図７」を「図６」と訂正し、段落０００７における「図８」を「図７」と訂正し、段落０００７における「図９」を「図８」と訂正し、段落０００７及び段落００１２における「図１０」を「図９」と訂正する。
＊訂正事項ｃ
　明りょうでない記載の釈明を目的として、段落００１４における、「少なくとも一つの導体部」及び「前記外部端子」を、それぞれ「一つの導体部」及び「外部端子」と訂正する。
＊訂正事項ｄ
　明りょうでない記載の釈明を目的として、段落００１６及び段落００３４における、「少なくとも一つの導体部」を「一つの導体部」と訂正する。
＊訂正事項ｅ
　明りょうでない記載の釈明を目的として、段落００３０及び段落００３３を削除する。
＊訂正事項ｆ
　明りょうでない記載の釈明を目的として、図面の簡単な説明を
「【図１】本発明の積層型インピーダンス素子の第１の実施例を示す概略断面図である。
　【図２】本発明の第２の実施例を示す概略断面図である。
　【図３】本実施例によって得られるインピーダンス特性図である。
　【図４】本発明の動作原理を説明するインピーダンス特性図である。
　【図５】従来例を示す概略断面図である。
　【図６】図５の素子の等価回路である。
　【図７】図６の簡略した等価回路である。
　【図８】図７の簡略した等価回路である。
　【図９】図５の素子のインピーダンス特性図である。
　【符号の説明】
　２　磁性体
　３　導電パターン
　４　コイル
　５，１５，２５，２６　導体部
　６，７　外部端子
　８　コンデンサ」、と訂正する。
＊訂正事項ｇ
　明りょうでない記載の釈明を目的として、図３を削除するとともに以降の図番を順次繰り上げる。
（５４）【発明の名称】
積層型インピーダンス素子
（５７）【特許請求の範囲】
　【請求項１】　磁性体を介して接続され周回する導電パターンからなるコイルを有する積層型インピーダンス素子において、前記磁性体内で磁性体を介して前記導電パターンと対向するように設けられた一つの導体部を有し、前記導体部の一端が外部端子に電気的に接続されることによって、前記コイルとの間に形成されたコンデンサが前記コイルに並列接続されてなることを特徴とする積層型インピーダンス素子。
【発明の詳細な説明】
　【０００１】
　【産業上の利用分野】
　本発明は、各種電子機器に適用されてノイズ低減素子として働く積層型インピーダンス素子に関する。
　【０００２】
　【従来の技術】
　近年、各種電子機器の回路技術の進歩により、数多くのディジタル信号回路が実用化されており、ＩＣなどのスイッチング動作を行う能動素子として広範囲に使用されている。このような信号回路において、ＩＣなどがスイッチング動作を行うときにノイズが発生して、このノイズは周囲の他の回路素子の動作に少なからず影響を与える。
　【０００３】
　このような欠点を解消するために、図５に示すように例えばＮｉ，Ｃｕ，Ｚｎ系フェライトを主成分とする酸化物磁性体からなる磁性体５１の内部に導電パターン５２を周回させてコイル５３を形成させ、このコイル５３のインピーダンス
　【外１】
によってそのようなノイズを低減させるようにした積層型インピーダンス素子が提供されている。５４，５５はコイル５３の両端に導通させた外部端子である。
　【０００４】
　このような積層型インピーダンス素子は２端子インピーダンス素子として扱うことができ、図６の等価回路で示すことができる。また、このインピーダンス
　【外２】
は次式のように示すことができる。
　【０００５】
　【数１】
　【０００６】
　ここで、コンデンサＣ部分はコイルの浮遊容量によって決定され、高々数ｐＦ程度なので、１》ω２ＬＣと近似的に示せる。従って、図６の等価回路は図７のように示すことができる。
　【０００７】
　また、実用に供されているインピーダンス素子のインピーダンス特性は一般的に図９のように示され、１０ＭＨｚにおいて６０Ω，１００ＭＨｚにおいて６００Ωの各インピーダンスを示している。図９から前記式数１における損失分ＲとリアクタンスＸとを見ると、１００ＭＨｚ以下においてはＲが小さくなるので、インピーダンス
　【外３】
はほぼＸによって決まる。これは損失分Ｒは磁性体の損失分と導体パターンの抵抗損失分との和で示されるので、ωＬに比べて十分小さいため、ωＬ》Ｒと近似的に示せることに基づく。よって、図７の等価回路はさらに簡略化して図８のように示すことができる。
　【０００８】
　この結果、１００ＭＨｚ以下の帯域で一般に実用に供されているインピーダンス素子のインピーダンス
　【外４】
の絶対値は、次式のように近似的に示すことができる。
　【０００９】
　【数２】
　【００１０】
　ここで実用上の点からは、１０ＭＨｚにおけるインピーダンスはできる小さく、１００ＭＨｚにおけるインピーダンスはより大きな適当な値に制御できれば、ノイズ低減効果上優れたインピーダンス素子を実用に供することができる。
　【００１１】
　【発明が解決しようとする課題】
　ところで従来の積層型インピーダンス素子では、前記式数２に基づいてインピーダンスを制御しようとすると、理想的なインピーダンス特性が得られないという問題がある。
　【００１２】
　すなわち、図９に示したように式数２に基づいてインピーダンスを制御しようとした場合１０ＭＨｚではインピーダンス
　【外５】
は６０Ωの値を示しているが、ここで１０ＭＨｚの
　【外６】
の値をできるだけ小さくするため、Ｌを小さく調整しようとすると１００ＭＨｚでは６００Ωの値をとることが不可能となり、理想的なインピーダンス特性が得られなくなる。
　【００１３】
　本発明は以上のような問題に対処してなされたもので、ノイズ低減効果を上げるため理想的なインピーダンス特性が得られるようにした積層型インピーダンス素子を提供することを目的とするものである。
　【００１４】
　【課題を解決するための手段】
　上記目的を達成するために本発明は、磁性体を介して接続され周回する導電パターンからなるコイルを有する積層型インピーダンス素子において、前記磁性体内で磁性体を介して前記導電パターンと対向するように設けられた一つの導体部を有し、前記導体部の一端が外部端子に電気的に接続されることによって、前記コイルとの間に形成されたコンデンサが前記コイルに並列接続されてなることを特徴とするものである。
　【００１５】
　【００１６】
　【作用】
　請求項１記載の本発明の構成によれば、導電パターンからなるコイルに対向するように磁性体内に設けた一つの導体部によって、この導体部と導電パターン間に磁性体を介してコンデンサが形成され、コイルと並列接続される。このコンデンサによってインピーダンス素子の共振周波数は、低周波側に移動させられるようになり、結果としてＬを小さくする調整を行わなくとも、１０ＭＨｚにおけるインピーダンスを小さく保ったままでも１００ＭＨｚにおけるインピーダンスをより大きく制御することができる。よって、理想的なインピーダンス特性が得られるので、ノイズ低減効果を上げることができる。
　【００１７】
　【００１８】
　【実施例】
　以下図面を参照して本発明の実施例を説明する。
　【００１９】
　図１は本発明の積層型インピーダンス素子の第１の実施例を示す概略断面図である。本実施例積層型インピーダンス素子１は、例えばＮｉ，Ｃｕ，Ｚｎ系フェライトを主成分とする酸化物磁性体からなる磁性体２と、この磁性体２を介して接続され周回する導電パターン３からなるコイル４と、前記磁性体２内で前記導電パターン３に導通している一対の外部端子６，７のうち一端５Ａが一方の外部端子６に接続されると共に他端５Ｂがいずれにも接続されない導体部５とを有している。
　【００２０】
　コイル４の形成は、予め用意した磁性体ペースト及び導電体ペーストを用い、両者を交互に印刷して積層体を形成し、導電体ペーストを周回する導電パターン３となるように印刷した後、全体を焼結処理することによって形成する。続いて、磁性体３の両端にコイル４と導通するように導電体をめっきによって形成することにより、外部端子６，７を設ける。
　【００２１】
　このような構造の積層型インピーダンス素子１によれば、磁性体２内に導体部５を設けたことにより、この導体部５とこれに対向している導電パターン３との間に磁性体２を介してコンデンサ８が形成される。
　【００２２】
　一方、元々積層型インピーダンス素子１には図７の等価回路で示したように、コイルの浮遊容量によってコンデンサＣが形成されており、このコンデンサＣとインダクタンスＬとによって、次式で示される自己共振周波数ｆを有している。
　【００２３】
　【数３】
　【００２４】
　この式数３で示される共振周波数ｆを有する共振回路に対して前記コンデンサ８は並列に接続された関係となっている。
　【００２５】
　図４は式数３で示される共振周波数ｆを有する共振回路を有する積層型インピーダンス素子のインピーダンス特性を示すもので、前記式数２に基づいて示される特性Ａは、磁性体３として損失特性に小さなものを用いることにより、共振周波数ｆにおいて特性Ｂのようにそのインピーダンス
　【外７】
の値は大きくなる。一方、損失特性が大きい場合は特性Ｃのようにそのインピーダンス
　【外８】
の値は小さくなる。従って、磁性体３として損失特性の小さなものを選ぶことにより特性Ｂを設定するようにする。
　【００２６】
　図３は本実施例インピーダンス素子１のインピーダンス特性を示すもので、特性Ａはコンデンサ８を考慮しない場合の特性を示しており、１０ＭＨｚにおけるインピーダンス
　【外９】
は３０Ωと小さくなっていると共に、１００ＭＨｚにおける
　【外１０】
は３００Ωと小さくなっている。この場合、１０ＭＨｚの値３０Ωは小さいので好ましいが、１００ＭＨｚの値３００Ωは小さ過ぎて理想的なインピーダンス特性からはかけ離れている。
　【００２７】
　しかしながら、図４で説明したように、この特性Ａに対してコンデンサ８を考慮すると、この容量分だけ共振回路の共振周波数ｆは低周波側に移動するようになるので、特性Ａは特性Ｂのように左側に移動するようになり、この結果１００ＭＨｚにおける
　【外１１】
の値はほぼ６００Ωまで上昇させることができる。しかし、１０ＭＨｚにおける
　【外１２】
の値は影響されることなく３０Ωの小さな値を保ったままになっている。これはコイル４の浮遊容量によるコンデンサＣの値は高々数ｐＦであるので、インピーダンス
　【外１３】
の値は１Ω以下程度に抑えられるためである。
　【００２８】
　このように本実施例によれば、磁性体２内に導電パターン３と対向するようにその一端５Ａを外部端子６に接続した導体部５を形成するようにしたので、導体部５と導電パターン３との間に磁性体２を介してコンデンサ８が形成され、このコンデンサ８の容量によってインピーダンス素子１の共振周波数ｆが低周波側に移動するようになる。このため、結果としてインダクタンスＬを小さくする調整を行わなくとも、１０ＭＨｚにおけるインピーダンスを小さく保ったままで、１００ＭＨｚにおけるインピーダンスを大きくなるように制御できるので、理想的なインピーダンス特性が得られるようになってノイズ低減効果を上げることができる。
　【００２９】
　図２は本発明の第２の実施例を示すもので、磁性体２内に導電パターン３と対向するように設けた導体部１５を、その他端１５Ｂを外部端子７に接続すると共に一端１５Ａをいずれにも接続しないように構成した例を示すものである。
　【００３０】
　【００３１】
　第２の実施例によっても、導体部１５と導電パターン３との間には磁性体２を介してコンデンサ８が形成されるので、第１の実施例で図３を参照して説明した動作と同様に、そのコンデンサ８の容量によってインピーダンス素子の共振周波数を低周波側に移動させることができる。従って、第１の実施例と同様に理想的なインピーダンス特性が得られるようになってノイズ低減効果を上げることができる。
　【００３２】
　なお、各実施例では各導体部のいずれか一端を一対の外部端子のいずれかに接続した例で示したが、各導体部のいずれか一端は磁性体内で導電パターンの所望部分に接続するようにしてもよい。
　【００３３】
　【００３４】
　【発明の効果】
　以上述べたように本発明によれば、コイルを形成した導電パターンに対向して一つの導体部を形成するようにしたので、この導体部と導電パターンとの間に形成されるコンデンサがコイルに並列接続されることになり、これによってインピーダンスの共振周波数を低周波側に移動できるため、理想的なインピーダンス特性が得られるようになってノイズ低減効果を上げることができる。
【図面の簡単な説明】
　【図１】本発明の積層型インピーダンス素子の第１の実施例を示す概略断面図である。
　【図２】本発明の第２の実施例を示す概略断面図である。
　【図３】本実施例によって得られるインピーダンス特性図である。
　【図４】本発明の動作原理を説明するインピーダンス特性図である。
　【図５】従来例を示す概略断面図である。
　【図６】図５の素子の等価回路である。
　【図７】図６の簡略した等価回路である。
　【図８】図７の簡略した等価回路である。
　【図９】図５の素子のインピーダンス特性図である。
　【符号の説明】
　２　磁性体
　３　導電パターン
　４　コイル
　５，１５，２５，２６　導体部
　６，７　外部端子
　８　コンデンサ
【図面】